(57)【要約】【課題】従来の眼鏡ケース及び眼鏡スタンドでは、眼鏡を収納するという機能面から横長の薄くて堅牢な蓋付きのケースやカップ状の眼鏡スタンド等といった基本的な形状は定まっており、せいぜい貴金属を材料として用いたり、色彩や柄を変えたりするだけで商品として変化はほとんどなく、新たなものが望まれていたが、実用的な商品は見あたらなかった。【解決手段】 本考案は、ぬいぐるみの本体部に眼鏡を差し込むことが可能な開口部と袋体を設けており、これらの袋体に眼鏡を差し入れて保持すると共に、眼鏡を保持しない場合には、ぬいぐるみの装飾体として飾ったり、玩具として使用できる新規な眼鏡ケースを提供するものである。【選択図】図１
0003132203.tif 000002
【実用新案登録請求の範囲】
【請求項１】
ぬいぐるみであって、眼鏡を収納するための袋部を内側に設け、内側底近くに重しを入れている眼鏡ケース
【請求項２】
前記重しは、複数のビーズ材からなることを特徴とする請求項１記載のぬいぐるみ型眼鏡ケース。
【請求項３】
動物形状をし、口の部分を袋部とする請求項１及び２の眼鏡ケース
【請求項４】
食品形状をし、具材を挟み込む部分を袋部とする請求項１及び２の眼鏡ケース
【考案の詳細な説明】
【技術分野】
【０００１】
本考案は、眼鏡を使用しないときに眼鏡を収納するための眼鏡ケース若しくは眼鏡スタンドに関するものである。
【背景技術】
【０００２】
睡眠時の眼鏡を外す場合や、眼鏡を使用しない場合には、眼鏡の形状に合わせた横型で蓋付きのケース、ソフトレザーなどつくられた筒状のケース若しくはカップ状の眼鏡スタンドに収納をして、眼鏡を誤って押しつけて壊したりしないように安全に保管をすることが行われている。
【考案の開示】
【考案が解決しようとする課題】
【０００３】
これら眼鏡ケース及び眼鏡スタンドでは、眼鏡を収納するという機能面から横長の薄くて堅牢な蓋付きのケース及びカップ状の眼鏡スタンドという基本的な形状は定まっており、せいぜい貴金属を材料として用いたり、色彩や柄を変えたりするだけで商品として変化はほとんどなかった。
【０００４】
そこで、従来の堅牢な眼鏡ケースや決まった形状の眼鏡ケースとは異なる全く新たなものが望まれていたが、実用的な商品は見あたらなかった。
【課題を解決するための手段】
【０００５】
本考案者は、係る課題を解決するために鋭意研究したところ、室内の装飾品であるぬいぐるみに着目し、従来一般にぬいぐるみとする動物なみならず、食品のぬいぐるみ等であって、動物であれば口からものを飲み込んでいる形態、食品であればものを挟み込むという形態を利用して、動物であれば口、食品であれば挟み込む部位にそれぞれ眼鏡を収納する袋をぬいぐるみの内側に設けて、通常は室内装飾のぬいぐるみとし、必要に応じて眼鏡ケース若しくは眼鏡スタンドとすることを着想した。
【０００６】
すなわち本考案の第一は、ぬいぐるみであって、眼鏡を収納するための袋部を内側に設け、内側底近くに重しを入れている眼鏡ケースである。
【０００７】
本考案の第二は、前記重しは、複数のビーズ材からなることを特徴とする前記の眼鏡スタンドである。
【０００８】
本考案の第三は、動物の形状のぬいぐるみであって、口の部分を袋部とする前記第一及び第二の眼鏡ケースである。
【０００９】
本考案の第四は、食品の形状のぬいぐるみであって、具材を挟み込む部分を袋部とする第一及び第二の眼鏡ケースである。
【考案の効果】
【００１０】
本考案の眼鏡スタンドは、種々の形態のものを提供ができ、また従来の堅牢なものとは異なって、ソフトな肌さわりの良い布製の柔らかいものとなり、装飾品としても見て楽しいいわゆるアイデアいっぱいの視覚的にも優れたものを提供できる。
【００１１】
また、底に重しを入れることによって、眼鏡ケースが倒れることなく安定的におくことができると共に、ぬいぐるみ内の詰めものが適当なクッションとなり、眼鏡を安全に保管することができる。
【考案を実施するための最良の形態】
【００１２】
以下、図面を参照して本考案に係る眼鏡ケースを説明するが、本考案の範囲はこれらに限定されるものではない。
【実施例１】
【００１３】
図１は、本考案に係る鰐のぬいぐるみの眼鏡ケースの斜視図であり、頭部を上方向に向けて口２を開いており、口２の内側の袋部２１に眼鏡４を収容している。１１は眼、１０は足である。
【００１４】
重し３は、ぬいぐるみ本体１の断面図である図２に示されるように、ぬいぐるみ本体部１の底部側あり、内部の詰め物１２によって移動をすることもないが、ぬいぐるみ本体の外布１３に逢着されることが望ましい。
【００１５】
図１に示すぬいぐるみは、鰐の腹部側を白地で示し、背面側を緑地で表し、更に開口部２の内面を赤地、歯部を白地で示して見栄えを良くするように工夫することもできる。このため、眼鏡を保存しない場合であっても、装飾的に見栄えがするものであり、子供の玩具としても使用ができるようになっている。
【００１６】
図３はかえるの眼鏡ケースであり、口２から袋部（図示せず）に眼鏡４を収容している状態を示すものである。本体部１の腹部は白地に花模様をあしらったり、背中部は全体を赤地で色分けをするなどして、さらに視覚的な効果を上げることも可能である。
【００１７】
図１及び図２に示した鰐やかえるの外に、図示はしていないが、獣、魚類、貝類、昆虫その他の動物類をぬいぐるみとして本考案に係る眼鏡ケースとすることは可能である。
【００１８】
図４及び図５では、食品のぬいぐるみに関するもので、特に具材を挟み込むホットドッグ（図４）及びサンドイッチ（図５）のぬいぐるみを示している。図４は、ぬいぐるみ本体１のロールパンとそれに挟み込まれたフランクフルトソーセージ５とその上に塗られているトマトケチャップ５２とソース５１から構成されており、２は眼鏡（図示せず）を収納するための長手方向に裂け目のように設けられた開口部であり、それに続いて内部が袋部（図示せず）となっている。眼鏡をホットドックに具材のようにフランクフルトソーセージ５と平行に挟み込んで収容することとなる。
【００１９】
図５のサンドイッチのぬいぐるみでは、ぬいぐるみ本体部１、１は左右共に食パンで、そこに眼鏡を収容するための開口部２、２が左右に食パンに対して長手方向で（図では縦に）２つあり、これに続いて内部は袋部（図示せず）となっている。中央部はサンドされた２種類の具材５３、５４が構成されている。これに眼鏡を収容するとまさに眼鏡のサンドイッチとなり、楽しい眼鏡ケースが提供できる。
【００２０】
ロールパン、食パン、フランクフルトソーセージ５、その上のケチャップ５２やソース５１、サンドイッチに挟まれた具材５３、５４はそれぞれに相応した色彩を施して、実物そっくりとすることができる。
【００２１】
図４および５では食品の例としてホットドッグ及びサンドイッチを挙げているが、これに限らず他の食品について本考案の眼鏡ケースは可能であり、さらには他に家具、乗り物、生活用品その他あらゆる物品をぬいぐるみとして本考案に係る眼鏡ケースとすることができる。
【００２２】
上記形状のぬいぐるみの素材としては、外皮１３側素材として織物、編物、フェルト、天然繊維／化学繊維からなる不織布から選択される素材を用いて肌さわりのよい触感を与え、眼鏡を収納する袋部２１素材としては、眼鏡拭き、特にレンズ拭きに用いられる超極細繊維素材やレンズを傷つけない表面がソフト仕様の織物や編物を用い、眼鏡全体に傷が付かないように保護している。
【００２３】
また、内部の詰め物１２素材としては、ポリエステル、綿、混紡綿、ウレタン等のある程度容量を有して形状表現ができやすい素材を選択して用いている。
【００２４】
重し３の材料としては、樹脂ビーズを袋に詰めて重しとしているが、そのほか、金属球体や木製球体等ある程度重量を有してぬいぐるみ本体部１をスタンド状に維持できるものであれば重しとして代替できる。
【図面の簡単な説明】
【００２５】
【図１】本考案に係る鰐のぬいぐるみの眼鏡ケースの斜視図である。
【図２】図１における眼鏡ケースの断面図である。
【図３】かえるのぬいぐるみの眼鏡ケースの斜視図である。
【図４】ホットドッグのぬいぐるみの眼鏡ケースの斜視図である。
【図５】サンドイッチのぬいぐるみの眼鏡ケースの斜視図である。
【符号の説明】
【００２６】
１・・・ぬいぐるみ本体部
１０・・脚部
１１・・目
１２・・詰め物
１３・・外皮
２・・・口
２１・・袋部
２３・・歯
３・・・重し
４・・・眼鏡
５・・・フランクフルトソーセージのぬいぐるみ部分
５１・・ソースのぬいぐるみ部分
５２・・ケチャップのぬいぐるみ部分
５３、５４・・具材のぬいぐるみ部分
【図１】
0003132203.tif 000003
【図２】
0003132203.tif 000004
【図３】
0003132203.tif 000005
【図４】
0003132203.tif 000006
【図５】
0003132203.tif 000007
【手続補正書】
【提出日】平成18年9月11日(2006.9.11)
【手続補正１】
【補正対象書類名】明細書
【補正対象項目名】０００５
【補正方法】変更
【補正の内容】
【０００５】
本考案者は、係る課題を解決するために鋭意研究したところ、室内の装飾品であるぬいぐるみに着目し、従来一般にぬいぐるみとする動物のみならず、食品のぬいぐるみ等であって、動物であれば口からものを飲み込んでいる形態、食品であればものを挟み込むという形態を利用して、動物であれば口、食品であれば挟み込む部位にそれぞれ眼鏡を収納する袋をぬいぐるみの内側に設けて、通常は室内装飾のぬいぐるみとし、必要に応じて眼鏡ケース若しくは眼鏡スタンドとすることを着想した。
【手続補正２】
【補正対象書類名】明細書
【補正対象項目名】００２２
【補正方法】変更
【補正の内容】
【００２２】
上記形状のぬいぐるみの素材としては、外皮１３側素材として織物、編物、フェルト、不織布等（天然繊維／化学繊維からなる）から選択される素材を用いて肌さわりのよい触感を与え、眼鏡を収納する袋部２１素材としては、眼鏡拭き、特にレンズ拭きに用いられる超極細繊維素材やレンズを傷つけない表面がソフト仕様の織物や編物を用い、眼鏡全体に傷が付かないように保護している。
【手続補正書】
【提出日】平成18年10月5日(2006.10.5)
【手続補正１】
【補正対象書類名】実用新案登録請求の範囲
【補正対象項目名】全文
【補正方法】変更
【補正の内容】
【実用新案登録請求の範囲】
【請求項１】
ぬいぐるみであって、眼鏡を収納するための袋部を内側に設け、内側底近くに重しを入れている眼鏡ケース
【請求項２】
前記重しは、複数のビーズ材からなることを特徴とする請求項１記載のぬいぐるみ型眼鏡ケース。
【請求項３】
動物形状をし、口の部分を袋部とする請求項１又は２の眼鏡ケース
【請求項４】
食品形状をし、具材を挟み込む部分を袋部とする請求項１又は２の眼鏡ケース
【手続補正２】
【補正対象書類名】明細書
【補正対象項目名】全文
【補正方法】変更
【補正の内容】
【考案の詳細な説明】
【技術分野】
【０００１】
本考案は、眼鏡を使用しないときに眼鏡を収納するための眼鏡ケース若しくは眼鏡スタンドに関するものである。
【背景技術】
【０００２】
睡眠時の眼鏡を外す場合や、眼鏡を使用しない場合には、眼鏡の形状に合わせた横型で蓋付きのケース、ソフトレザーなどつくられた筒状のケース若しくはカップ状の眼鏡スタンドに収納をして、眼鏡を誤って押しつけて壊したりしないように安全に保管をすることが行われている。
【考案の開示】
【考案が解決しようとする課題】
【０００３】
これら眼鏡ケース及び眼鏡スタンドでは、眼鏡を収納するという機能面から横長の薄くて堅牢な蓋付きのケース及びカップ状の眼鏡スタンドという基本的な形状は定まっており、せいぜい貴金属を材料として用いたり、色彩や柄を変えたりするだけで商品として変化はほとんどなかった。
【０００４】
そこで、従来の堅牢な眼鏡ケースや決まった形状の眼鏡ケースとは異なる全く新たなものが望まれていたが、実用的な商品は見あたらなかった。
【課題を解決するための手段】
【０００５】
本考案者は、係る課題を解決するために鋭意研究したところ、室内の装飾品であるぬいぐるみに着目し、従来一般にぬいぐるみとする動物のみならず、食品のぬいぐるみ等であって、動物であれば口からものを飲み込んでいる形態、食品であればものを挟み込むという形態を利用して、動物であれば口、食品であれば挟み込む部位にそれぞれ眼鏡を収納する袋をぬいぐるみの内側に設けて、通常は室内装飾のぬいぐるみとし、必要に応じて眼鏡ケース若しくは眼鏡スタンドとすることを着想した。
【０００６】
すなわち本考案の第一は、ぬいぐるみであって、眼鏡を収納するための袋部を内側に設け、内側底近くに重しを入れている眼鏡ケースである。
【０００７】
本考案の第二は、前記重しは、複数のビーズ材からなることを特徴とする請求項１記載の眼鏡スタンドである。
【０００８】
本考案の第三は、動物の形状のぬいぐるみであって、口の部分を袋部とする請求項１又は２記載の眼鏡ケースである。
【０００９】
本考案の第四は、食品の形状のぬいぐるみであって、具材を挟み込む部分を袋部とする請求項１又は２記載の眼鏡ケースである。
【考案の効果】
【００１０】
本考案の眼鏡スタンドは、種々の形態のものを提供ができ、また従来の堅牢なものとは異なって、ソフトな肌さわりの良い布製の柔らかいものとなり、装飾品としても見て楽しいいわゆるアイデアいっぱいの視覚的にも優れたものを提供できる。
【００１１】
また、底に重しを入れることによって、眼鏡ケースが倒れることなく安定的におくことができると共に、ぬいぐるみ内の詰めものが適当なクッションとなり、眼鏡を安全に保管することができる。
【考案を実施するための最良の形態】
【００１２】
以下、図面を参照して本考案に係る眼鏡ケースを説明するが、本考案の範囲はこれらに限定されるものではない。
【実施例１】
【００１３】
図１は、本考案に係る鰐のぬいぐるみの眼鏡ケースの斜視図であり、頭部を上方向に向けて口２を開いており、口２の内側の袋部２１に眼鏡４を収容している。１１は眼、１０は足である。
【００１４】
重し３は、ぬいぐるみ本体１の断面図である図２に示されるように、ぬいぐるみ本体部１の底部側あり、内部の詰め物１２によって移動をすることもないが、ぬいぐるみ本体の外布１３に逢着されることが望ましい。
【００１５】
図１に示すぬいぐるみは、鰐の腹部側を白地で示し、背面側を緑地で表し、更に開口部２の内面を赤地、歯部を白地で示して見栄えを良くするように工夫することもできる。このため、眼鏡を保存しない場合であっても、装飾的に見栄えがするものであり、子供の玩具としても使用ができるようになっている。
【００１６】
図３はかえるの眼鏡ケースであり、口２から袋部（図示せず）に眼鏡４を収容している状態を示すものである。本体部１の腹部は白地に花模様をあしらったり、背中部は全体を赤地で色分けをするなどして、さらに視覚的な効果を上げることも可能である。
【００１７】
図１及び図２に示した鰐やかえるの外に、図示はしていないが、獣、魚類、貝類、昆虫その他の動物類をぬいぐるみとして本考案に係る眼鏡ケースとすることは可能である。
【００１８】
図４及び図５では、食品のぬいぐるみに関するもので、特に具材を挟み込むホットドッグ（図４）及びサンドイッチ（図５）のぬいぐるみを示している。図４は、ぬいぐるみ本体１のロールパンとそれに挟み込まれたフランクフルトソーセージ５とその上に塗られているトマトケチャップ５２とソース５１から構成されており、２は眼鏡（図示せず）を収納するための長手方向に裂け目のように設けられた開口部であり、それに続いて内部が袋部（図示せず）となっている。眼鏡をホットドックに具材のようにフランクフルトソーセージ５と平行に挟み込んで収容することとなる。
【００１９】
図５のサンドイッチのぬいぐるみでは、ぬいぐるみ本体部１、１は左右共に食パンで、そこに眼鏡を収容するための開口部２、２が左右に食パンに対して長手方向で（図では縦に）２つあり、これに続いて内部は袋部（図示せず）となっている。中央部はサンドされた２種類の具材５３、５４が構成されている。これに眼鏡を収容するとまさに眼鏡のサンドイッチとなり、楽しい眼鏡ケースが提供できる。
【００２０】
ロールパン、食パン、フランクフルトソーセージ５、その上のケチャップ５２やソース５１、サンドイッチに挟まれた具材５３、５４はそれぞれに相応した色彩を施して、実物そっくりとすることができる。
【００２１】
図４および５では食品の例としてホットドッグ及びサンドイッチを挙げているが、これに限らず他の食品について本考案の眼鏡ケースは可能であり、さらには他に家具、乗り物、生活用品その他あらゆる物品をぬいぐるみとして本考案に係る眼鏡ケースとすることができる。
【００２２】
上記形状のぬいぐるみの素材としては、外皮１３側素材として織物、編物、フェルト、不織布等（天然繊維／化学繊維からなる）から選択される素材を用いて肌さわりのよい触感を与え、眼鏡を収納する袋部２１素材としては、眼鏡拭き、特にレンズ拭きに用いられる超極細繊維素材やレンズを傷つけない表面がソフト仕様の織物や編物を用い、眼鏡全体に傷が付かないように保護している。
【００２３】
また、内部の詰め物１２素材としては、ポリエステル、綿、混紡綿、ウレタン等のある程度容量を有して形状表現ができやすい素材を選択して用いている。
【００２４】
重し３の材料としては、樹脂ビーズを袋に詰めて重しとしているが、そのほか、金属球体や木製球体等ある程度重量を有してぬいぐるみ本体部１をスタンド状に維持できるものであれば重しとして代替できる。
【図面の簡単な説明】
【００２５】
【図１】本考案に係る鰐のぬいぐるみの眼鏡ケースの斜視図である。
【図２】図１における眼鏡ケースの断面図である。
【図３】かえるのぬいぐるみの眼鏡ケースの斜視図である。
【図４】ホットドッグのぬいぐるみの眼鏡ケースの斜視図である。
【図５】サンドイッチのぬいぐるみの眼鏡ケースの斜視図である。
【符号の説明】
【００２６】
１・・・ぬいぐるみ本体部
１０・・脚部
１１・・目
１２・・詰め物
１３・・外皮
２・・・口
２１・・袋部
２３・・歯
３・・・重し
４・・・眼鏡
５・・・フランクフルトソーセージのぬいぐるみ部分
５１・・ソースのぬいぐるみ部分
５２・・ケチャップのぬいぐるみ部分
５３、５４・・具材のぬいぐるみ部分